(57)【要約】【課題】  複数の駐輪場又は駐車場を一括管理する管理システムにおいて、利用契約者が新規契約日或いは更新契約日の前であっても、また、複数の駐輪場（駐車場）のいずれからでも、新規登録や更新登録（継続登録）の決済を行うことができるようにすることによって、新規登録或いは更新登録の手間を省いて、混雑を防止することができると共に、更新後の駐輪（駐車）場所を容易に特定できるように工夫した駐車場管理システムを提供する。【解決手段】  複数の駐輪場（駐車場）の夫々に設置する定期料金精算機１０に、駐車場管理機関１の管理用ＰＣ２との間でデータの送受信を行うデータ通信手段と、このデータ通信手段を介して送られて来る定期ＩＤを一定期間保持する定期券ＩＤ記憶手段と、その期間内に当該定期ＩＤと一致するＩＤを有する定期券カード４が読み込まれた時に、定期券カード４の新規登録又は更新登録の決済を可能とする定期料金決済手段を設ける。【選択図】    図１
2007183719.tif 000002
【特許請求の範囲】
【請求項１】
自転車、オートバイ或いは自動車を含む各種車両を駐車させる利用契約者に対して、定期券カードを用いた駐車を可能にすると共に、駐車場を管理する管理機関が、駐車場への利用申込みに対して、その利用の可否を決定して利用申込者に通知することにより、通知を受けた利用申込者が上記利用契約者として各種車両の駐車を定期券カードを用いて行えるように構成した駐車場管理システムであって、
上記各利用契約者が利用する定期券カード毎に定期ＩＤを定める一方、
上記駐車場に設置した定期料金精算機には、定期券カードの読み込みを受けると、その都度の駐車料金の決済を不要とする定期料金決済手段と、
前記駐車場管理機関に設置した管理用ＰＣとの間でデータの送受信を可能とするデータ通信手段と、
当該データ通信手段を介して上記管理用ＰＣより送信されて来る新規利用又は更新利用が許可された利用契約者が有する定期券カードの定期ＩＤを、記憶デバイスに一定期間保持する定期ＩＤ記憶手段と、
その保持期間内に上記定期料金精算機に読み込まれた定期券カードのＩＤが上記記憶デバイスに保持された定期ＩＤと一致する場合に、定期券カードの新規登録時又は更新登録時の料金決済を可能にする定期料金登録手段と、
定期料金の決済が実行された場合に、その定期券カードに当該カードの有効期限情報を書き込む有効期限記録手段とを具備せしめたことを特徴とする駐車場管理システム。
【請求項２】
前記駐車場管理機関は、複数の駐車場を一括して管理可能に構成され、
当該駐車場管理機関に設置された管理用ＰＣは、各駐車場に設置された定期料金精算機との間でデータの送受信を可能と成し、
利用申込者は複数の駐車場の中から任意の駐車場を選んで申込み可能であり、
駐車場管理機関は管理用ＰＣを介して新規又は更新利用を可能とする定期券カードの定期ＩＤを全ての駐車場の定期料金精算機に一定期間記憶保持せしめるように構成したことを特徴とする請求項１に記載の駐車場管理システム。
【請求項３】
前記定期料金精算機は、駐車料金の精算を現金又はクレジットカードでも行えるように構成されていることを特徴とする請求項１又は２に記載の駐車場管理システム。
【請求項４】
前記定期料金精算機は、定期券カードの新規登録料金又は更新登録料金の決済時に、少なくとも申込みを受けた駐車場の名称又はそのＩＤ番号と、駐車可能な駐車スペースの位置情報、及び、駐車可能な有効期限とを印刷した貼付シールを発行するように構成したことを特徴とする請求項１、２又は３に記載の駐車場管理システム。
【請求項５】
前記定期料金精算機が発行する貼付シールは、車両貼付用と定期券カード貼付用の２枚が同時に、又は、順番に発行されることを特徴とする請求項４に記載の駐車場管理システム。
【請求項６】
前記定期料金精算機は、定期券カードの更新登録の料金決済に際して、当該定期券カードに更新開始日を書き込み、その際及びこれ以降の定期券カードの読み込みに際して、当該定期券カードに書き込まれている更新開始日を読み取って、その開始日が上記料金決済の日の当日か、又は、当該料金決済の日よりも以前の日付の場合は、前記貼付シールを発行する一方、上記の開始日が当該料金決済の日よりも後の日付の場合は、上記貼付シールの発行を行わないように構成されていることを特徴とする請求項１、２、３，４又は５に記載の駐車場管理システム。
【発明の詳細な説明】
【技術分野】
【０００１】
本発明は、自転車、オートバイ、自動車などの駐車場（駐輪場）の管理および運営システムに係り、特に、自転車やオートバイなどの２輪車用として実施して好適な駐輪場の管理運営システムと、それを実現する機能を備えた駐車場管理システムに関するものである。
【背景技術】
【０００２】
最近では、都市部および都市近郊の駅周辺部には、必ずといってよいほど駐輪場が整備されてきているが、特に駅前再開発に伴い大型で駅建物と複合化された駐輪施設が建設されることも多くなってきている。    
【０００３】
都市近郊への人口集中による駅前の違法駐輪の撤廃を目的として、大型の駐輪場が各自治体や民間業者によって整備されてきているが、施設の増加と大型化に伴って利用者の利便性の追求よりも収納効率（駐輪台数）の増加と入庫出庫の自動化による合理化に目が向けられており、誰もが使い勝手の良いシステムにはいたっていないのが現状である。
【０００４】
また、一部地域では駐輪場不足により慢性的な空き待ち状態が続いており、毎月抽選で利用者を決定する様な運用形態も多くなってきている。
【０００５】
このような状況に鑑み、地域と鉄道会社などが一体となって、例えば特許文献１に見られるように、駐輪場利用者が複数の駐輪場を併用で利用するようなシステムが採用されてきており、複数の駐輪場を一括で管理する管理センターを設置して利用者の利便性の向上を目指している。
【特許文献１】特開２００３−２９６７７３号公報
【発明の開示】
【発明が解決しようとする課題】
【０００６】
ところが、上記特許文献１に見られるような複数の駐輪場（駐車場）を一括管理する管理システムに付いては、以下に述べる如き各種の問題点を有していた。
【０００７】
（イ）  複数の駐輪場（駐車場）の定期契約者の管理、特に定期契約の登録と更新の際には、定期利用の申込・抽選・定期券の販売など、多大な管理業務が管理センターに集中的に発生しており、その処理に多くの時間と人手を割いているのが現状である。
（ロ）  駐輪場の大型化に伴い、駐輪場所が駅改札から遠いか近いかによる利便性の差が大きくなってきているため、駐輪場の抽選による利用場所の変更が頻繁に行われる。
（ハ）  慢性的な空き待ち状態が続いている地域では、毎月抽選で利用者を決定する様な運用形態も多い。
（ニ）  月ごとに契約を更新し、駐輪場所もその都度変更するとなると、月初めに駐輪場所が見つからずに混乱するケースが多い。また、これは年ごとでも同様で、更新直後の混乱が回避できていない。
（ホ）  更新後に駐輪場所を忘れてしまう利用者が多い。
（ヘ）  複数の駐輪場のいづれかに利用申込みを行い、抽選の結果次回には駐輪場が変わる様な場合には、次回の駐輪場の定期更新の決済をその次回の駐輪場でしか行えないようだと、わざわざ更新のためだけにその駐輪場に行くという手間がかかる。その様な手間を避けるために次回の利用開始日当日に定期の更新を行おうとすると、概して年度初めや月初めで更新手続きが殺到していることが多く、混雑のために順番待ちをしなければならず、不便である。
（ト）  年度別に定期契約を更新する管理形態の場合は、前記と同様でさらにこれらの処理がすべて年度末に殺到するため、窓口処理業務がパンクすることもあり得る。
【０００８】
そこで本発明の技術的課題は、複数の駐輪場又は駐車場を一括管理する管理システムにおいて、利用契約者が新規契約日或いは更新契約日の前であっても、また、複数の駐輪場（駐車場）のいずれからでも、新規登録や更新登録（継続登録）の決済を行うことができるようにすることによって、新規登録或いは更新登録の手間を省いて、混雑を防止することができると共に、更新後の駐輪（駐車）場所を容易に特定できるように工夫した駐車場管理システムを提供することである。
【課題を解決するための手段】
【０００９】
（１）  上記の技術的課題を解決するために、本発明の請求項１に係る駐車場管理システムは、自転車、オートバイ或いは自動車を含む各種車両を駐車させる利用契約者に対して、定期券カードを用いた駐車を可能にすると共に、駐車場を管理する管理機関が、駐車場への利用申込みに対して、その利用の可否を決定して利用申込者に通知することにより、通知を受けた利用申込者が上記利用契約者として各種車両の駐車を定期券カードを用いて行えるように構成した駐車場管理システムであって、上記各利用契約者が利用する定期券カード毎に定期ＩＤを定める一方、上記駐車場に設置した定期料金精算機には、定期券カードの読み込みを受けると、その都度の駐車料金の決済を不要とする定期料金決済手段と、前記駐車場管理機関に設置した管理用ＰＣとの間でデータの送受信を可能とするデータ通信手段と、当該データ通信手段を介して上記管理用ＰＣより送信されて来る新規利用又は更新利用が許可された利用契約者が有する定期券カードの定期ＩＤを、記憶デバイスに一定期間保持する定期ＩＤ記憶手段と、その保持期間内に上記定期料金精算機に読み込まれた定期券カードのＩＤが上記記憶デバイスに保持された定期ＩＤと一致する場合に、定期券カードの新規登録時又は更新登録時の料金決済を可能にする定期料金登録手段と、定期料金の決済が実行された場合に、その定期券カードに当該カードの有効期限情報を書き込む有効期限記録手段とを具備せしめたことを特徴としている。  
【００１０】
（２）  また、本発明の請求項２に係る駐車場管理システムは、前記駐車場管理機関は、複数の駐車場を一括して管理可能に構成され、当該駐車場管理機関に設置された管理用ＰＣは、各駐車場に設置された定期料金精算機との間でデータの送受信を可能と成し、利用申込者は複数の駐車場の中から任意の駐車場を選んで申込み可能であり、駐車場管理機関は管理用ＰＣを介して新規又は更新利用を可能とする定期券カードの定期ＩＤを全ての駐車場の定期料金精算機に一定期間記憶保持せしめるように構成したことを特徴としている。
【００１１】
（３）  また、本発明の請求項３に係る駐車場管理システムは、前記定期料金精算機は、駐車料金の精算を現金又はクレジットカードでも行えるように構成されていることを特徴としている。
【００１２】
（４）  また、本発明の請求項４に係る駐車場管理システムは、前記定期料金精算機は、定期券カードの新規登録料金又は更新登録料金の決済時に、少なくとも申込みを受けた駐車場の名称又はそのＩＤ番号と、駐車可能な駐車スペースの位置情報、及び、駐車可能な有効期限とを印刷した貼付シールを発行するように構成したことを特徴としている。
【００１３】
（５）  また、本発明の請求項５に係る駐車場管理システムは、前記定期料金精算機が発行する貼付シールは、車両貼付用と定期券カード貼付用の２枚が同時に、又は、順番に発行されることを特徴としている。
【００１４】
（６）  更に、本発明の請求項６に係る駐車場管理システムは、前記定期料金精算機は、定期券カードの更新登録の料金決済に際して、当該定期券カードに更新開始日を書き込み、その際及びこれ以降の定期券カードの読み込みに際して、当該定期券カードに書き込まれている更新開始日を読み取って、その開始日が上記料金決済の日の当日か、又は、当該料金決済の日よりも以前の日付の場合は、前記貼付シールを発行する一方、上記の開始日が当該料金決済の日よりも後の日付の場合は、上記貼付シールの発行を行わないように構成されていることを特徴としている。  
【００１５】
上記（１）、（２）及び（３）で述べた各手段によれば、駐輪場（駐車場）の新規利用又は更新利用が許可された利用契約者が所有する定期券カードの定期ＩＤを、定期料金精算機の記憶デバイスに一定期間（例えば利用開始日をはさんで前後２週間から１ヶ月程度）保持するため、新規登録の場合は郵送などで定期券カードを入手しておき、また、更新登録の場合は今までの定期券カードを持っている利用者が、どこの駐輪場（駐車場）でも新規登録や更新登録の手続を行うことができるものであって、管理機関のＰＣより複数の駐輪場（駐車場）のすべての定期更新機能付き精算機に定期更新テーブルのデータを送るようにした点、及び、料金精算を現金とクレジットカードのいずれでも可能にしたことで、利用者がどこの駐輪場（駐車場）でも登録・更新が可能となるから、登録・更新の手続きが年度初めや月初めに集中したり、ある一定の駐輪場（駐車場）に集中することがなく、登録・更新の手続きを混乱なく簡単に済ませることを可能にする。
【００１６】
上記（４）、（５）及び（６）で述べた手段によれば、定期券カード用と自転車（車両）貼付用のシールが同時に発行されることで、駐輪場所（駐車場所）を忘れることがない。更にこのシール発行は、更新利用の場合はその料金決済時点ではなく、決済日以後に保留することができるため、更新開始日以前にシールを発行して利用日までに紛失してしまうようなことが防止される。
【発明の効果】
【００１７】
以上述べた次第で、本発明に係る駐車場管理システムによれば、新規契約日或いは更新契約日の前であっても、また、複数の駐車場（駐輪場）のいずれからでも、新規登録及び更新登録の決済を簡単に済ませることができるため、月末や年度末に集中する管理機関での窓口業務の混乱を防止できるものであって、定期券カードと自転車（車両）貼付用のシールを同時に発行することで、駐車場所（駐輪場所）の位置を忘れないようにした点、及び、シールの発行を料金決済日以後に保留できるようにして、発行されたシールの紛失を防止する点と相俟って、特に、駅前の違法駐輪の撤廃を目的として、各自治体や民間業者によって整備されつつある大型駐輪場等に実施して、頗る有益なものである。
【発明を実施するための最良の形態】
【００１８】
以下に、本発明に係る駐車場管理システムの実施の形態を、添付図面を参照しながら説明することにする。ここで、本発明の実施例は自転車やオートバイなどの２輪車を対象とした駐輪場において実施した場合を想定して説明するが、４輪自動車を対象とした駐車場や、２輪車と４輪車が混在する駐車場管理システムとして実施することも可能である。
【００１９】
図１は、複数の駐輪場を統合して管理する駐車場管理システムを説明したものであって、複数の駐輪場を一括で管理する駐車場管理機関１には、Ｄｏｐａなどのパケット通信網やＩＮＴＥＲＮＥＴなどの公衆網１００に接続されて外部と通信可能な管理用ＰＣ２が配置されている。
【００２０】
本発明に係る駐輪場の利用を希望する利用者の定期利用申込みは、特定の応募フォームに所定の事項を記載して駐車場管理機関１に提出するか、応募ハガキを同様に駐車場管理機関１に送付するか、Ｅ−ｍａｉｌで駐車場管理機関１に送信するか、或いは、駐車場管理機関１のホームページで登録書込を行う、など複数の申込方法があるが、本発明ではその申込方法を特に限定はしない。
【００２１】
上記何らかの方法による利用申込に対し、駐車場管理機関１はその申込数が利用数を上回った場合や、特定の利用場所に利用申込が集中した場合には、抽選などによりその新規利用や利用の更新の確定を行い、その結果を利用申込者に対して何らかの方法により通知をするのが一般的である。
【００２２】
本発明の実施例においては、新規の登録に対して利用できる駐輪場の当選通知は、郵送で新規の定期券カード４を同封した封書３を送付することで行われる。また、更新申込に対して次回から利用できる駐輪場の当選通知は、ハガキ５を送付することで行われる。
【００２３】
ここで、特に図示しないが、当選通知の封書３及びハガキ５には、少なくとも利用できる駐輪場がどこであるかの記載があり、例えば、応募の際には第１希望としてＢ駅東口駐輪場５０Ｂ（Ｎｏ．０２）、第２希望としてＣ駅南口駐輪場５０Ｃ（Ｎｏ．０３）で応募したが、抽選の結果として、例えば第２希望のＣ駅南口駐輪場５０Ｃ（Ｎｏ．０３）が次回から利用決定された、という内容が記載してある。
【００２４】
図１においてこの地域の駐車場管理機関１は、周辺に例えばＡ、Ｂ、Ｃの３つの鉄道駅に付設された駐輪場５０Ａ，５０Ａ’，５０Ｂ，５０Ｃを一括して管理しており、Ａ駅には西口駐輪場５０Ａ（Ｎｏ．０１）と、北口駐輪場５０Ａ’（Ｎｏ．０４）が付設され、同様にＢ駅にはＢ駅東口駐輪場５０Ｂ（Ｎｏ．０２）、Ｃ駅には南口駐輪場５０Ｃ（Ｎｏ．０３）が付設されている。
【００２５】
図２は本発明の実施例における、ひとつの駐輪場の配置例を模式的に示したものであって、図２において駐輪場５０には、自転車用入り口５１が一ケ所と、自転車用出口５２が一ケ所あり、歩行者用の出入り口５３も一ケ所ある。自転車用入り口５１には入り口ゲート５４が設置されているが、この入り口ゲート５４は入場の方向にのみ回転可能な一方向ゲートであり、一旦駐輪場５０に入場したらこの自転車用入り口５１からは退出できないようになっている。また、自転車用出口５２にも出口ゲート５５が設置されているが、こちらは通常は回動できないようにロックされており、後で詳細に述べる定期登録更新機能を有する精算機１０が、料金精算完了の都度出口ゲート５５を回動可能となるようにロック解除するようになっているが、機構的にバーを開閉するゲート装置を利用することも可能である。
【００２６】
駐輪場５０の内部には、細かく区切られた駐輪区画があり、実際に床面に番号と境界がペンキで描かれており、利用者は決められた区画に駐輪することになっている。ここで、例えば図２における区画１０６Ａから１０４Ｍまでの手前側のエリア５０−１を一時利用者用として運営し、奥の１０３Ａから１０１Ｍまでのエリア５０−２を定期利用者用として割り当てられているなどが、一般的な一時利用者・定期利用者共存の駐輪場の基本的な配置例である。
【００２７】
なお、この例では単に床面に境界線と区画ナンバーが書かれているだけの駐輪場としたが、駐輪ラックなどが多数設置されていて自転車の倒れ防止を考慮していたり、各駐輪エリア毎に個別にロック装置を設けているなどの駐輪場であっても、本発明の実施例を適応できることは云うまでもない。
【００２８】
図３は本発明の実施例における定期登録更新機能を有する定期料金精算機１０の外観を示す。図３において１０’は定期登録更新機能を有する料金精算機の本体であり、その前面には利用のガイダンスを表示する表示器１５、テンキー、精算・領収証・取消・登録、などの操作スイッチを備えたキーボード１６，定期券カードの挿入口１７、料金精算のための紙幣挿入口１８とコイン投入口１９、係員を呼び出す際に使用するインターホン通話釦２０、通話用のスピーカ２０Ａとマイクロホン２０Ｂ、定期券カード４が非接触式のＩＣカードの場合には前面に非接触カードリーダ２１、下方には精算時のおつりが払い出させるおつり用ポケット２３があり、このポケット２３には領収証も排出される様に構成されている。さらに下方左側には貼付用のシールが排出される取り出しポケット２２を有している。
【００２９】
図４は本発明の実施例における定期登録更新機能を有する料金精算機１０の内部構成を示す。
図４において当該精算機１０の主要なハードウエアとして各種の演算処理を担うＣＰＵ１１を有し、このＣＰＵにバスライン１２を介して各種の構成要素が接続されている。ここでメモリー１３には一時的にデータを保存するＲＡＭと、前記請求項に記載の各種手段を実現するための各種のプログラムを格納したＲＯＭが搭載されている。また、インターフェイス１４を介して内部のモジュールや外部の機器に通信可能に接続されている。更に、図４において示したインターフェイス１４はモデムやＬＡＮアダプタなどの外部通信装置２８を介して外部の公衆網とも通信可能に接続されており、パケット通信網やインターネットなどを介して外部の機器との送受信が可能な構成となっている。
【００３０】
また、取り扱う自転車の台数などが例えば数千台規模の駐輪場などでデータ量が増加した場合は、データ記憶にはメモリー１３以外にも適宜ＨＤＤやコンパクトフラッシュ（登録商標）カードなどの記憶装置を増設することも可能である。
【００３１】
更に上記インターフェイス１４には、図４に示すように前述した非接触カードリーダ２１又は磁気式のカードリーダ２１’と、表示器１５、キーボード１６、スピーカ２０Ａ、マイクロホン２０Ｂ及び外部通信装置２８に加えて、紙幣読み取り機１８Ａとコインセレクタ１９Ｔ、領収書プリンタ２４、ラベルプリンタ２５、紙幣釣銭金庫Ｔ２を構成する紙幣払出機Ｔ１、硬貨釣銭金庫を構成する５００円、１００円、５０円、１０円用の各硬貨払出機Ｔ３、Ｔ４、Ｔ５、Ｔ６と、Ｉ／Ｏ信号端子２６を介した状態で接続される外部監視盤２７、及び、入力装置画面２９が夫々接続されていて、夫々がＣＰＵ１１の監視の下で、メモリー１３に格納されたプログラムに従って制御作動される仕組に成っている。
【００３２】
また、特に図示しないが、駐車場管理機関１に設置されている管理用ＰＣ２にも、パケット通信網やインターネットなどを介して外部のＰＣなどと通信可能な通信インターフェイスが搭載されており、図１に示した様に各駐輪場の精算機１０−Ａ、１０−Ａ’、１０−Ｂ、１０−Ｃの全てと、パケット通信網やインターネットなどを介して通信可能に接続されている。
【００３３】
次に本発明の実施例における定期更新時の流れを図に沿って説明する。
ある自転車利用者Ｅが今現在、図１における自宅６から現行経路７でＢ駅東口駐輪場５０Ｂ（Ｎｏ．０２）を利用しているとする。また、この利用者はすでに定期券カード４を保有しているが、定期券カード４の有効期限はこの年の年度末である３月３１日までとなっているとする。この利用者は翌年度から勤務場所が変わることが決まっているため、今までの通勤経路とは異なるＣ駅を利用したいと思い、駐車場管理機関１に次年度からの利用申込みの第１希望をＣ駅南口駐輪場５０Ｃ（Ｎｏ．０３）、第２希望を今までと同様のＢ駅東口駐輪場５０Ｂ（Ｎｏ．０２）で応募していたが、念願叶って次年度からはＣ駅南口駐輪場５０Ｃ（Ｎｏ．０３）が利用できるという当選通知のハガキ５をすでに受領しているものとする。
【００３４】
この自転車利用者Ｅは、今年度末までは今まで通りＢ駅を利用して通勤しているが、翌年度初め早々に万が一にも遅刻しないように、Ｃ駅南口駐輪場５０Ｃ（Ｎｏ．０３）の定期の更新手続きを早めに済ませておきたいと思っている。ここで、通常の定期更新可能な期間は定期の利用開始日をはさんで前後２週間から１ヶ月程度に設定されている場合が多く、この地域を管理する駐車場管理機関１でもすべての定期登録更新機能を有する精算機１０Ａ〜１０Ｃが前後１ヶ月の更新期間に設定されている。
【００３５】
この自転車利用者Ｅが保有している定期券カードのＩＤ番号はＮｏ．００００２であり、更新申込に際しても自分の定期ＩＤを明示して更新の申込をしている。図５において、ＤＴは本発明の実施例における定期登録更新データテーブルを示す。図５において示されているのは、駐車場管理機関１の管理用ＰＣ２から、各駐輪場５０Ａ〜５０Ｃに配置された定期登録更新機能を有する精算機１０Ａ、Ａ’、Ｂ、Ｃに対して、すでに２月末の時点で（年度末の定期更新日から１ヶ月前）送信されているデータであり、各定期登録更新機能を有する精算機１０の内部のメモリー１３に一定期間、実施例では定期更新日から前後１ヶ月間保管されている。
【００３６】
次に、この自転車利用者Ｅがまだ定期更新後の利用開始日になる前で、且つ、定期更新期間中、例えば３月１５日頃にＢ駅を利用して通勤しながら、次年度の通勤用に定期を更新する動作を説明すると、自転車利用者Ｅは通常の通勤時に定期券カード４（Ｎｏ．００００２）を利用しており、この定期券カード４を図２に示した駐輪場５０の出口５２に配置された定期登録更新機能を有する精算機１０のカード挿入口１７に挿入すると、定期契約期間内であるために料金を払うことなく駐輪場５０の出口ゲート５５のロックが解除され、駐輪場５０から出庫することができる。
【００３７】
その際、すでに３月初めより、定期券カード４を挿入するたびに、定期登録更新機能を有する精算機１０の表示画面１５には、「定期更新できます。料金は○○円です」という様な内容のメッセージがでており、更新料金を用意していなかったり、その他の理由から「本日更新しない場合はカードを抜き取ってください。」という指示に従いカードを抜き取って出庫していた。
【００３８】
この日は定期更新をするために料金を用意してきており、「料金は○○円」に相当する額を支払いし、カードが再度装置内部に引き込まれ、定期データは内部のカードリーダ２１’により有効期限のデータが書き換えられた後に排出される。
【００３９】
なお、利用開始日以前に定期券カード４を更新した場合であっても、利用開始日までは今までの駐輪場を利用できるよう、定期券カード４のデータは利用期限のデータが延長されただけあり、本発明の実施例における駐車場管理システムでは、駐車場管理機関１の管理用ＰＣ２から各駐車場の各定期登録更新機能を有する精算機１０に対して、利用開始日当日の午前０時に有効化される様にあらかじめ、定期利用のテーブル図９を送信している。これは図９（１）に示すＡ駅西口駐輪場５０Ａ用と、（２）に示すＢ駅東口駐輪場５０Ｂ用、（３）に示すＣ駅南口駐輪場５０Ｃ用、といったように、各駐輪場毎に異なるデータを送信する。各駐輪場の各定期登録更新機能を有する精算機１０Ａ〜１０Ｃは、この定期利用テーブルを次回の定期更新日まで保存している。これにより、利用開始日までは従来の駐輪場を利用し、更新日からは別の駐輪場を利用することが可能となる。
【００４０】
この様にして本発明の実施例によれば利用開始日前に定期更新の決済ができるため、定期更新が集中する年度末などでも更新業務により窓口が混雑したり、更新待ちで精算機の前に並ぶようなことは無く、利用者にとって利便性の良い定期登録更新方式が実現できる。
【００４１】
更に、本発明の実施例においては、図４に示した様に通常の領収書プリンタ２４に加え、ラベルプリンタ２５を内蔵しており、定期登録更新機能を有する精算機１０の前面にもシール用の取り出しポケット２２が設けられており、図示しないがラベルプリンタ２５でプリントしたシールが、ラベルプリンタ２５に内蔵するカッターでカットされると、自動的にシール用の取り出しポケット２２に落下する位置関係に配置されている。
【００４２】
図６に本発明の実施例において発行されるシールの形状とプリント例を示す。図６（１）においてシール台紙３０が剥離紙３１上に等間隔に貼り付けられており、シール台紙３０には中央部にミシン目３２がついている。図６の最下部はプリント例を示し、左側に自転車貼付用シール３０Ａ、右側に定期券カード貼付用シール３０Ｂがミシン目３２で繋がった状態でプリントされ、プリント後は自動的にカッターで二点鎖線３３の位置でカットされる様に設定されている。従って取り出しポケット２２に落ちてくるのは最下部のプリントされたシール３０Ａ，３０Ｂが剥離紙３１と一緒になったものであり、利用者はそれをミシン目３２で分割し、されに剥離紙３１から剥がして自転車と定期券カード４に貼り付けて使用する。
【００４３】
図６（２）は、シール形状が異なる第２の実施例であり、ミシン目で結合されておらず、あらかじめ自転車貼付用シール３０Ａと定期券カード貼付用シール３０Ｂで分離されたシール台紙にプリントすることも可能である。また、図６（１）の様に単に四角形状だけでなく、図６（２）図の様に丸みを帯びた形状のシールなどもシール台紙の選定により様々なバリエーションで実現可能であることは言うまでもない。
【００４４】
利用者は定期登録若しくは更新登録の際に、料金の決済と同時に図６（１）又は（２）の様なシール３０Ａ，３０Ｂが発行され、定期番号、駐輪位置、有効期限などがプリントされた自転車貼付用シール３０Ａを貼ることで、特に駐輪の際に駐輪位置を探し出すことが容易にできるようになるが、これは公知の技術である。
【００４５】
しかし、本発明の実施例の特徴として、自転車貼付用シール３０Ａと定期券カード貼付用シール３０Ｂが同時に発行される点があり、従来から実施されていた自転車貼付用シール３０Ａだけでは、駐輪した自転車を探す際に場所の記載されたものがないために探し出すことが困難であったが、本発明の実施例の様に定期券カード貼付用シール３０Ｂも同時に発行することで、駐輪した場所が解らないときは定期券カード４の定期券貼付用シール３０Ｂを見れば駐輪場所を知ることができ、利便性の改善に役立つものである。
【００４６】
なお、上記の自転車貼付用シール３０Ａと定期券カード貼付用シール３０Ｂは、定期登録若しくは更新の料金決済を行った際に、自動的に発行されるように設定することが可能であるが、本発明の実施例では、料金の決済の時点で自動的には発行せず、利用者が発行するタイミングを選択できる様にプログラミングしており、これは本発明の特徴のひとつである。
【００４７】
通常の様に、自転車貼付用シール３０Ａと定期券カード貼付用シール３０Ｂとを定期登録若しくは更新の料金決済を行った際に自動的に発行した場合、利用開始当日までにシール３０Ａ，３０Ｂを紛失してしまう危険性が高くなる。また、あらかじめ発行されたシール３０Ａ，３０Ｂを利用開始前に自転車や定期券カード４に貼り付けると、現状の駐輪位置が解らなくなった時に、異なる駐輪場の駐輪位置を示した自転車貼付用シール３０Ａが自転車に貼り付けられていることになり、また、駐輪位置が適正であるかどうかが管理会社側の見回りなどでも判定しづらいことになるため、定期更新期間中にこのような混乱が生じることになる。
【００４８】
そこで本発明の実施例の様に、シール３０Ａ，３０Ｂの発行が自動ではなく利用者の選択によってタイミングがきめられることで、利用者が現状の駐輪位置での最後の利用機会、例えば前述の利用者が３月２５日までは前の勤務地に通勤していたが、その後は４月３日から新たな通勤経路で駐輪場を利用する場合など、３月２５日の出庫の際にシールを発行すれば、次回の利用からすんなりと利用場所が正規にプリントされた自転車貼付用シール３０Ａと定期券カード貼付用シール３０Ｂを適正に使用することができ、混乱するようなことはない。
【００４９】
仮に３月中にはシール発行を行わず、４月３日になって初めて駐輪場を利用した場合などは、利用開始日をすぎているために自動的にシールを発行するようにプログラミングすることで、利用者がシールの発行自体を忘れてしまっても、問題ないように運用することができる。
【００５０】
次に、図７において、上記のカード登録及び更新時の動作をフローチャートに沿って説明する。
【００５１】
＜新規登録の場合＞
図７において、利用者が定期券カード４をカード挿入口１７に挿入すると、ステップＳ１でカードリーダ２１’が定券期カード４の磁気ストライプ部をトレースしてカードのステータスデータを読み取り、ステップＳ２においてそのカード４が未登録か登録済みかの判定を行う。ステータスとはカードのデータ内の決められた番地に「登録済み」を表すデータが書き込まれているかどうかをチェックすることで、定期ＩＤだけが書き込まれた未使用で未登録のカードとの見分けができるようになっている。ステップＳ２において未登録であると判断されたカード４は新規利用者に郵送されて初めて来場した利用者のカード４であるため、ステップＳ３でカードＩＤを読み取りステップＳ４でデータテーブルにより該当する駐車場ＩＤが有るかどうかを判断する。もし、該当する駐車場ＩＤが無い場合、これは新規登録ではあり得ないため、ステップＳ１５で「このカードは登録できません」などのメッセージが表示器１５に表示されたり、スピーカ２０Ａから音声アナウンスされたりしたのち、ステップＳ１０で自動的に定期券カードが排出される。該当するＩＤがあった場合は、ステップＳ５で料金が表示され、ステップＳ６で支払いが完了するまで待機し、その間にもし取消キーが押された場合はステップＳ１６で取消と判断され、前述と同様にステップＳ１０でカードが排出されるが、料金が支払い完了すると、ステップＳ７でカードに登録済みのステータスのデータが書き込まれ、ステップＳ８のシール印刷に移行する。その後ステップＳ９の領収証印刷を経てステップＳ１０でカードが排出され、処理が完了する。なお、料金支払いは現金の投入だけにかぎらず、プリペイドカードを挿入するとか、クレジットカードを挿入して精算するなどの手法もこのステップに含まれている。
【００５２】
＜定期更新の場合＞
初期のステップＳ２におけるカードステータス判定において登録済みと判断された場合、ステップＳ１１でそのカード４の有効期限データを読み取って更新期間かどうかが判定される。これは実施例では有効期限まで１ケ月を切った場合に更新期間であると判断し、ステップＳ１２で更新済みかどうかを判断する。ステップＳ１２においてすでに更新済みと判断された場合はステップＳ１７でシール発行の有無を判断するが、更新済みでない場合はステップＳ１３で「定期更新しますか？」などの表示やアナウンスを行い、利用者が選択する。ステップＳ１４において利用者が更新期間中ではあるが「更新しない」を選択すると、ステップＳ１９の通常精算動作に移行する。また、更新する場合はステップＳ３でカードＩＤを読み取り、それ以降は前述の新規登録と同様の動作を行う。なお、更新の場合にはステップＳ７で更新開始日の書き込みも行い、通常は更新前の有効期限日がその更新開始日になる。
【００５３】
尚、特にフローチャートで説明しないが、精算完了とは、定期券カードの有効期間内であれば出口ゲート５５のロックを解除する信号を出力し、さらに定期券カードに「出庫済み」のステータスを書き込むこともある。これは、定期の不正な使い回しを防止するために、入庫中のステータスのカードでは再度の入庫はできない。また同様に出庫中のステータスのカードでは再度の出庫はできないようにプログラミングされているものであり、アンチパスと言う機能で一般的定期券カードの運用時に利用されているものである。
【００５４】
次にシール印刷と発行のプロセスを説明する。
図７において、ステップＳ８とステップＳ１８にシール発行動作があり、その部分の詳細を図８に示す。図８において、シール発行のプロセスに入るとステップＳ２１で利用開始日を読み取る。これは基本的には現行カードの有効期限日と同等であり、すでにカードに記録されている。次にステップＳ２２でこの利用開始日がすでにすぎているか未だその日に至っていないかを判断し、すでに利用開始日がすぎている場合にはステップＳ２３に移行し、定期登録更新機能を有する精算機１０が駐車場管理機関１の管理用ＰＣ２にアクセスし、処理中のカードのカードＩＤを送信して、詳細な内容を問い合わせる。駐車場管理機関１の管理用ＰＣ２は図示しないがすべての定期ＩＤに対応した駐輪場ＩＤ、駐輪位置情報、有効期限、定期種別、などのデータを保有しており、定期登録更新機能を有する精算機１０からの要求に応じてそのデータを送り返すようにプログラミングされている。
【００５５】
ステップＳ２４において駐車場管理機関１の管理用ＰＣ２から定期の詳細なデータを受信した定期登録更新機能を有する精算機１０は、ステップＳ２５でその内容をラベルプリンタでシールにプリントし、通常ラベルプリンタにユニット化されているカッターで自動的に剥離紙３１をカットし、処理を終了する。カットされたシール３０Ａ．３０Ｂは前述の様に定期登録更新機能を有する精算機１０のシール取り出しポケット２２に落下して、利用者がそれを自転車と定期券カードに貼り付けて使用する。
【００５６】
また、ステップＳ２２で未だ利用開始日になっていない場合には、ステップＳ２７で「シール発行しますか？」などの表示やアナウンスで利用者に選択を求め、ステップＳ２８で「更新しない」を選択した場合はそのまま処理を終了し、元のフローチャートの部分に戻る様になっている。
【００５７】
この様に、シールのプリントを少なくとも利用開始日以前であれば利用者が選択的に発行の有無を選択でき、利用開始日までにシール３０Ａ，３０Ｂをなくさない様に敢えてシールのみ発行をしないことが可能となる。また、シールの発行を忘れてしまっても、利用開始日当日かそれ以降になれば、カードの使用に際して自動的にシールが発行されるため、シール発行を忘れたままで利用することもない。
【００５８】
なお、シールは利用開始日以降に紛失したり、自転車を買い換えたために再発行を行うなどの処理もあるが、これは本発明の範疇には含んでおらず、係員が特別な操作により再発行可能にしたり、駐車場管理機関１で個別に発行するなどで運用することが可能である。
【００５９】
尚、本発明の実施例においては定期券カード４は磁気ストライプのあるカードを用いた構成としているが、定期登録更新機能を有する精算機１０の外観例にあるようなＩＣカードリーダー２１を用いて、非接触ＩＣカードによる定期券カード４での運用を行うことや、接触式のＩＣカードリーダー２１’や、非接触のＩＣタグなどを利用する形態においても、同様なシステムでの実現ができることは言うまでもない。
【００６０】
また、駐輪場の運用形態で出口のゲート５５のロックを精算完了により解除する例を示したが、駐輪位置毎に個別の自転車のタイヤなどをロックして退出阻止を行い、精算完了時にこのタイヤロックを解除するような構成の駐輪場であっても、本発明の内容が利用可能であり、さらにこのような個別ロック式の駐輪場と、出口ゲート５５で退出を阻止する駐輪場が複数の駐輪場のなかで混在する場合であって、同様に実施することが可能である。
【００６１】
また、本発明の実施例における処理プロセスにおいては、定期登録更新のフローと通常精算のフローが連続しておらず、一旦登録や更新を行ったカードを再度装置に挿入して精算することになっているが、例えば定期登録や更新を行ってそのまま通常精算のフローに移行するようにプログラムすることも容易に実現できる。
【図面の簡単な説明】
【００６２】
【図１】本発明の実施例において複数の駐輪場を統合して管理する駐輪場管理システムの概念を設明した説明図。
【図２】本発明の実施例における駐輪場の配置図。
【図３】本発明の実施例における定期登録更新機能を有する精算機の外観図。
【図４】本発明の実施例における定期登録更新機能を有する精算機の内部構成を示すブロック図。
【図５】本発明の実施例における定期登録更新データテーブルの構成図。
【図６】本発明の実施例における自転車貼付用シールと定期券カード貼付用シールの構成図。
【図７】本発明の実施例における定期登録更新動作を示すフローチャート。
【図８】本発明の実施例におけるシール発行動作を示すフローチャート。
【図９】本発明の実施例における定期利用テーブルの構成図。
【符号の説明】
【００６３】
１            駐車場管理機関
２            管理用ＰＣ
３            封書
４            定期券カード
５            ハガキ
６            家屋
７            現行経路
８            新規経路
Ｅ            自転車利用者
１０          定期登録更新機能を有する精算機
１０Ａ，１０Ａ’，１０Ｂ，１０Ｃ      各駐輪場に配置された定期登録更新機能を有する精算機
２２          取り出しポケット
ＤＴ          定期登録更新テーブル
３０          シール台紙
３０Ａ        自転車貼付用シール
３０Ｂ        定期券カード貼付用シール
３１          剥離紙
３２          ミシン目
５０，５０Ａ，５０Ａ’，５０Ｂ，５０Ｃ    駐輪場（駐車場）
【図１】
2007183719.tif 000003
【図２】
2007183719.tif 000004
【図３】
2007183719.tif 000005
【図４】
2007183719.tif 000006
【図５】
2007183719.tif 000007
【図６】
2007183719.tif 000008
【図７】
2007183719.tif 000009
【図８】
2007183719.tif 000010
【図９】
2007183719.tif 000011